(57)【要約】【課題】本実施形態は、優れた冷却性能を有し、かつ低温での優れた流動性も有する冷却液組成物を提供することを目的とする。【解決手段】本実施形態は、基剤と、水と包接水和物を形成可能な包接化合物と、界面活性剤と、を含有し、基剤が、水と、一価アルコール、二価アルコール、三価アルコール及びアルキレングリコールモノアルキルエーテルからなる群から選ばれる少なくとも１種のアルコール類と、を含み、水の含有量が、アルコール類の含有量以上である、冷却液組成物である。【選択図】なし【特許請求の範囲】
【請求項１】
基剤と、
水と包接水和物を形成可能な包接化合物と、
界面活性剤と、
を含有し、
基剤が、水と、一価アルコール、二価アルコール、三価アルコール及びアルキレングリコールモノアルキルエーテルからなる群から選ばれる少なくとも１種のアルコール類と、を含み、
水の含有量が、アルコール類の含有量以上である、冷却液組成物。
【請求項２】
基剤が、水とエチレングリコールとを含む、請求項１に記載の冷却液組成物。
【請求項３】
水の含有量：アルコール類の含有量の比率が、５０：５０〜９０：１０である、請求項１又は２に記載の冷却液組成物。
【請求項４】
包接化合物が、シクロペンタンを含む、請求項１〜３のいずれか１項に記載の冷却液組成物。
【請求項５】
包接化合物の含有量が、冷却液組成物１００質量部に対して、０．１質量部以上１５質量部以下である、請求項１〜４のいずれか１項に記載の冷却液組成物。
【請求項６】
界面活性剤が、ノニオン性界面活性剤を含む、請求項１〜５のいずれか１項に記載の冷却液組成物。
【請求項７】
ノニオン性界面活性剤が、ポリオキシアルキレンアルキルエーテルを含む、請求項６に記載の冷却液組成物。
【発明の詳細な説明】
【技術分野】
【０００１】
本実施形態は、冷却液組成物に関する。
【背景技術】
【０００２】
自動車の内燃機関、ハイブリッドシステム等を冷却するための冷却液において、不凍性を付与するための凝固点降下剤として、エチレングリコール等のアルコール類を配合した冷却液が使用されている。
【０００３】
例えば、特許文献１では、粘度特性改良剤としてのガラクトース又はガラクトース誘導体とアンヒドロガラクトース又はアンヒドロガラクトース誘導体との共重合構造を有する多糖類、及び基剤を含有し、動粘度が、２５℃で８．５ｍｍ２／秒以上であり、かつ１００℃で２．０ｍｍ２／秒以下である冷却液組成物が開示されている。特許文献１において、基剤としては、具体的に、エチレングリコールと水とを含むものが挙げられている。
【０００４】
また、例えば、特許文献２では、水および１種以上の有機溶媒を含む多成分冷却液であって、該冷却液が４０℃以下の低温状態においては水成分に富む水相と有機成分に富む有機相に分離し、４５℃から該冷却液の沸騰温度までの高温状態においては有機成分に富む有機相が増加した水分率を有することを特徴とする、上記冷却液が開示されている。特許文献２において、有機溶媒としては、具体的に、炭素数が４〜１０のアルコール類が挙げられている。
【先行技術文献】
【特許文献】
【０００５】
【特許文献１】特開２０１３−２５３１９０号公報
【特許文献２】特開２０１３−０５７０３６号公報
【発明の概要】
【発明が解決しようとする課題】
【０００６】
自動車エンジン等を冷却するための冷却液としては様々なものが知られているが、その中でも水は熱伝達率が高く、冷却液としての冷却性能に最も優れているため好ましい。しかし、真水は摂氏０℃以下になると凍結して体積が増大するため、エンジンやラジエーターに損傷を与える恐れがある。そのため、特許文献１及び２でも開示されるように、エチレングリコール等のアルコール類を用いて不凍性を向上させた冷却材が用いられている。しかしながら、これらの凝固点降下作用を有する材料を冷却液に加えることにより、冷却液の不凍性を向上させることが可能である一方、これらの成分が混入することにより水の冷却性能が低下してしまう。
【０００７】
そこで、本実施形態は、優れた冷却性能を有し、かつ低温での優れた流動性も有する冷却液組成物を提供することを目的とする。
【課題を解決するための手段】
【０００８】
本発明者らは、上記課題を解決すべく鋭意検討を行った結果、冷却液組成物中に水と包接水和物を形成可能な包接化合物を配合することにより、流動点を低下させることができ、水の含有量を高くしても低温における流動性を向上できることを見出した。それゆえ、包接化合物の配合により、流動点を低下させて低温での流動性を確保しつつ、水の含有量を高くして冷却性能を高めることができることを見出し、本実施形態に至った。
【０００９】
すなわち、本実施形態の態様例は以下の通りである。
【００１０】
（１）基剤と、
水と包接水和物を形成可能な包接化合物と、
界面活性剤と、
を含有し、
基剤が、水と、一価アルコール、二価アルコール、三価アルコール及びアルキレングリコールモノアルキルエーテルからなる群から選ばれる少なくとも１種のアルコール類と、を含み、
水の含有量が、アルコール類の含有量以上である、冷却液組成物。
（２）基剤が、水とエチレングリコールとを含む、（１）に記載の冷却液組成物。
（３）水の含有量：アルコール類の含有量の比率が、５０：５０〜９０：１０である、（１）又は（２）に記載の冷却液組成物。
（４）包接化合物が、シクロペンタンを含む、（１）〜（３）のいずれか１つに記載の冷却液組成物。
（５）包接化合物の含有量が、冷却液組成物１００質量部に対して、０．１質量部以上１５質量部以下である、（１）〜（４）のいずれか１つに記載の冷却液組成物。
（６）界面活性剤が、ノニオン系界面活性剤を含む、（１）〜（５）のいずれか１つに記載の冷却液組成物。
（７）ノニオン系界面活性剤が、ポリオキシアルキレンアルキルエーテルを含む、（６）に記載の冷却液組成物。
【発明の効果】
【００１１】
本実施形態により、優れた冷却性能を有し、かつ低温での優れた流動性も有する冷却液組成物を提供することができる。
【図面の簡単な説明】
【００１２】
【図１】実施例において使用した熱伝達率測定装置の概略図である。
【図２】シクロペンタンの配合による流動点変化を示すグラフである。
【発明を実施するための形態】
【００１３】
本実施形態は、基剤と、水と包接水和物を形成可能な包接化合物と、界面活性剤と、を含有し、基剤が、水と、一価アルコール、二価アルコール、三価アルコール及びアルキレングリコールモノアルキルエーテルからなる群から選ばれる少なくとも１種のアルコール類と、を含み、水の含有量が、アルコール類の含有量以上である、冷却液組成物である。
【００１４】
本実施形態に係る冷却液組成物は、基剤として、水及びアルコール類を含み、水の含有量をアルコール類の含有量以上とする。水の含有量をアルコール類の含有量以上とすることにより、冷却液組成物の冷却性能を向上することができる。また、水の含有量をアルコール類の含有量以上とすることにより、基剤の凝固点が水の凝固点（０℃）に近づくため、低温での流動性が低下する可能性がある。これに対し、本実施形態では、水と包接水和物を形成可能な包接化合物を配合することにより、冷却液組成物の流動点を下げることができ、低温での流動性を向上させることができる。また、界面活性剤を含むことにより、非水溶性の包接化合物を冷却液組成物中に分散又は溶解させることができる。以上より、本実施形態に係る冷却液組成物は、優れた冷却性能及び流動性を両立可能である。すなわち、本実施形態は、優れた冷却性能を有し、かつ低温での優れた流動性も有する冷却液組成物を提供することができる。
【００１５】
以下、本実施形態について、詳細に説明する。
【００１６】
本実施形態に係る冷却液組成物は、基剤を含む。基剤は、水と、一価アルコール、二価アルコール、三価アルコール及びアルキレングリコールモノアルキルエーテルからなる群から選ばれる少なくとも１種のアルコール類と、を含む。基剤は、水と、一価アルコール、二価アルコール、三価アルコール及びアルキレングリコールモノアルキルエーテルからなる群から選ばれる少なくとも１種のアルコール類と、からなることが好ましい。
【００１７】
アルコール類は、一価アルコール、二価アルコール、三価アルコール及びアルキレングリコールモノアルキルエーテルからなる群から選ばれる。これらのアルコール類は凝固点降下作用を有する。アルコール類は、１種を単独で用いてもよく、２種以上を混合して用いてもよい。
【００１８】
一価アルコールとしては、例えば、メタノール、エタノール、プロパノール、ブタノール、ペンタノール、ヘキサノール、ヘプタノール、又はオクタノール等が挙げられる。一価アルコールは、１種を単独で用いてもよく、２種以上を混合して用いてもよい。
【００１９】
二価アルコールとしては、例えば、エチレングリコール、ジエチレングリコール、トリエチレングリコール、プロピレングリコール、１，３−プロパンジオール、１，４−ブタンジオール、１，３−ブタンジオール、１，５−ペンタンジオール、又はヘキシレングリコール等が挙げられる。二価アルコールは、１種を単独で用いてもよく、２種以上を混合して用いてもよい。
【００２０】
三価アルコールとしては、例えば、グリセリン、トリメチロールエタン、トリメチロールプロパン、５−メチル−１，２，４−ヘプタントリオール、又は１，２，６−ヘキサントリオール等が挙げられる。三価アルコールは、１種を単独で用いてもよく、２種以上を混合して用いてもよい。
【００２１】
アルキレングリコールモノアルキルエーテルとしては、例えば、エチレングリコールモノメチルエーテル、ジエチレングリコールモノメチルエーテル、トリエチレングリコールモノメチルエーテル、テトラエチレングリコールモノメチルエーテル、エチレングリコールモノエチルエーテル、ジエチレングリコールモノエチルエーテル、トリエチレングリコールモノエチルエーテル、テトラエチレングリコールモノエチルエーテル、エチレングリコールモノブチルエーテル、ジエチレングリコールモノブチルエーテル、トリエチレングリコールモノブチルエーテル、又はテトラエチレングリコールモノブチルエーテル等が挙げられる。アルキレングリコールモノアルキルエーテルは、１種を単独で用いてもよく、２種以上を混合して用いてもよい。
【００２２】
アルコール類としては、エチレングリコール、プロピレングリコール及び１，３−プロパンジオールが、取り扱い性、価格、入手容易性の観点から好ましい。
【００２３】
従って、基剤は、エチレングリコール、プロピレングリコール、及び１，３−プロパンジオールからなる群から選ばれる少なくとも１種のアルコール類を含むことが好ましく、エチレングリコールと水とを含むことがより好ましい。また、基剤は、エチレングリコール、プロピレングリコール及び１，３−プロパンジオールから選ばれる少なくとも１種のアルコール類と水とからなることが好ましく、エチレングリコールと水とからなることがより好ましい。基剤として用いる水はイオン交換水であることが更に好ましい。
【００２４】
基剤の含有量は、冷却液として機能する観点から、冷却液組成物１００質量部に対して、好ましくは５０質量部以上であり、より好ましくは６０質量部以上であり、更に好ましくは７０質量部以上であり、より更に好ましくは８０質量部以上であり、特に好ましくは９０質量部以上である。また、基剤の含有量は、冷却液組成物の各成分を配合する観点から、好ましくは９５質量部以下であり、より好ましくは９４質量部以下であり、更に好ましくは９３質量部以下である。これらの下限値及び上限値は、任意に組み合わせ可能である。
【００２５】
水の含有量は、アルコール類の含有量以上である。熱伝達率の高い水の含有量を多くすることにより、冷却液組成物の冷却性能を向上することができる。水の含有量：アルコール類（例えばエチレングリコール）の含有量の比率（質量比）は、好ましくは５０：５０〜９０：１０であり、より好ましくは５５：４５〜８５：１５であり、６０：４０〜８０：２０である。これらの上限及び下限は任意に組み合わせ可能である。
【００２６】
水の含有量は、冷却性能向上の観点から、基剤１００質量部に対して、好ましくは５０質量部以上であり、より好ましくは５５質量部以上であり、更に好ましくは６０質量部以上である。また、水の含有量は、アルコール類等の他の成分を配合する観点から、基剤１００質量部に対して、好ましくは９０質量部以下であり、より好ましくは８０質量部以下である。
【００２７】
本実施形態に係る冷却液組成物は、水と包接水和物を形成可能な包接化合物を含む。包接化合物としては、特に制限されるものではないが、例えば、シクロペンタン、エチレンオキシド、１，３−ジオキソラン、１，４−ジオキサン等が挙げられる。例えば、シクロペンタンの場合、６℃以下において水と包接水和物を形成し、スラリー状となることが報告されている（日本冷凍空調学会論文集、Trans. of the JSRAE、Vol.29、No.4(2012)、頁433〜442、シクロペンタン水和物スラリーの熱伝達率）。また、エチレンオキシドは１１℃以下で包接水和物を形成し、１，３−ジオキソランは−３℃以下、１，４−ジオキサンは−１５℃以下で包接水和物を形成することが報告されている。包接化合物の作用により、水の含有量がアルコール類の含有量以上であっても、冷却液組成物の低温での流動性を向上することができる。なお、包接化合物は、１種を単独で用いてもよく、２種以上を混合して用いてもよい。
【００２８】
包接化合物の含有量は、低温にて水と包接水和物を形成し、冷却液組成物の流動点を下げる観点から、冷却液組成物１００質量部に対して、好ましくは０．１質量部以上であり、より好ましくは０．５質量部以上であり、更に好ましくは１．０質量部以上であり、より更に好ましくは３．０質量部以上である。また、包接化合物の含有量は、冷却液組成物の各成分を配合する観点から、冷却液組成物１００質量部に対して、好ましくは１５質量部以下であり、より好ましくは１０質量部以下である。これらの下限値及び上限値は、任意に組み合わせ可能である。
【００２９】
本実施形態に係る冷却液組成物は、界面活性剤を含む。界面活性剤を含むことにより、非水溶性の包接化合物を冷却液組成物中に分散又は溶解させることができる。具体的には、冷却液組成物中に界面活性剤を配合することにより、包接水和物が解除される温度以上（例えばシクロペンタンでは６℃以上）では、水に不溶な包接化合物を冷却液組成物中に均一に分散させることができる。なお、熱は熱伝達率の良い相を優先して伝わるため、冷却液組成物中の包接化合物（例えばシクロペンタン）や界面活性剤の存在は、冷却液組成物全体の熱伝達率にはほとんど影響しないと考えられる。
【００３０】
界面活性剤としては、ノニオン性界面活性剤、アニオン性界面活性剤、カチオン性界面活性剤及び両性界面活性剤のいずれも用いることができる。界面活性剤は、１種を単独で使用しても、２種以上を併用してもよい。これらのうち、包接水和物を形成していない状態の包接化合物を良好に分散させる観点から、界面活性剤は、ノニオン性界面活性剤を含むことが好ましい。
【００３１】
ノニオン性界面活性剤としては、包接化合物の分散性の観点から、ポリオキシアルキレン基を有するものが好ましい。ノニオン性界面活性剤としては、具体的には、ポリオキシアルキレンアルキルエーテル（例えばポリオキシエチレンアルキルエーテル）、ポリオキシアルキレンアルキルフェニルエーテル、ポリオキシアルキレン多価アルコールエーテル、ポリオキシアルキレンアルキルアミノエーテル、ポリオキシアルキレン脂肪酸エステル、ポリオキシアルキレンソルビタンエステル、ポリオキシアルキレン脂肪酸アミド、又はポリアルキレンアルキルエーテル等が挙げられる。これらは、１種を単独で用いてもよく、２種以上を混合して用いてもよい。
【００３２】
ポリオキシアルキレンアルキルエーテルは、下記式（１）：
Ｒ３Ｏ−（Ｒ４Ｏ）ｎ−Ｈ              （１）
［式中、Ｒ３は、直鎖状又は分岐鎖状の炭素原子数１２以上かつ２４以下のアルキル基又はアルケニル基であり、
Ｒ４は、エチレン基又はプロピレン基であり、
ｎは、Ｒ４Ｏの平均付加モル数を示し、０．５以上かつ２０以下の数である］
で表される化合物であることが好ましい。
【００３３】
前記Ｒ３について、アルキル基は、直鎖状でも分岐鎖状であってもよいが、直鎖状であることが好ましい。アルキル基の炭素原子数は１２以上かつ２４以下であり、１６以上かつ２２以下のものが好ましく、２０以上かつ２２以下のものがより好ましい。
【００３４】
前記Ｒ３について、アルケニル基は、直鎖状でも分岐鎖状であってもよいが、直鎖状であることが好ましい。アルケニル基の炭素原子数は１２以上かつ２４以下であり、１６以上かつ２２以下のものが好ましく、２０以上かつ２２以下のものがより好ましい。
【００３５】
具体的には、ラウリル基、ミリスチル基、セチル基、マルガリル基、イソステアリル基、２−ヘプチルウンデシル基、ステアリル基、アラキジル基、ベヘニル基、リグノセリル基等のアルキル基；オレイル基等のアルケニル基が挙げられ、セチル基、ステアリル基、ベヘニル基が好ましく、ステアリル基及びベヘニル基がより好ましい。
【００３６】
前記Ｒ４は、エチレン基又はプロピレン基であり、エチレン基が好ましい。
【００３７】
前記ｎはＲ４Ｏの平均付加モル数を示し、０．５以上かつ２０以下の数であり、１以上かつ１５以下の数であることが好ましく、２以上かつ１１以下の数であることがより好ましく、３以上かつ８以下の数であることがさらに好ましい。
【００３８】
本実施形態において、Ｒ３が直鎖状の炭素原子数１６以上かつ２０以下のアルキル基であり、Ｒ４がエチレン基であり、Ｒ４Ｏの平均付加モル数を示すｎが１以上かつ１８以下の数である、式（１）のポリオキシアルキレンアルキルエーテルを用いることが好ましい。
【００３９】
本実施形態において、Ｒ３が直鎖状の炭素原子数２０以上かつ２４以下のアルキル基であり、Ｒ４がエチレン基であり、Ｒ４Ｏの平均付加モル数を示すｎが５以上かつ１２以下の数である、式（１）のポリオキシアルキレンアルキルエーテルを用いることが好ましい。
【００４０】
式（１）のポリオキシアルキレンアルキルエーテルとしては、具体的には、Ｃ１８Ｈ３７Ｏ−（ＣＨ２ＣＨ２Ｏ）６−Ｈ、Ｃ２２Ｈ４５Ｏ−（ＣＨ２ＣＨ２Ｏ）７−Ｈ、Ｃ２２Ｈ４５Ｏ−（ＣＨ２ＣＨ２Ｏ）１０−Ｈを挙げることができる。
【００４１】
アニオン性界面活性剤としては、脂肪酸塩、アルキルリン酸エステル塩、又はポリオキシエチレンアルキルエーテルリン酸エステル塩等が挙げられる。
【００４２】
カチオン性界面活性剤としては、例えば、アルキルアミン塩又は第四級アンモニウム塩等が挙げられる。
【００４３】
両性界面活性剤としては、例えば、アルキルベタイン又はアルキルアミンオキサイド等が挙げられる。
【００４４】
界面活性剤の含有量は、冷却液組成物１００質量部に対して、好ましくは０．０１質量部以上１０質量部以下、より好ましくは０．０５質量部以上７．５質量部以下、さらに好ましくは０．１質量部以上５．０質量部以下である。これらの下限値及び上限値は、任意に組み合わせることができる。
【００４５】
ノニオン性界面活性剤の含有量は、界面活性剤１００質量部に対して、好ましくは５０質量部以上であり、より好ましくは６０質量部以上であり、更に好ましくは７０質量部以上であり、より更に好ましくは８０質量部以上であり、特に好ましくは９０質量部以上であり、より特に好ましくは１００質量部である。
【００４６】
本実施形態に係る冷却液組成物の流動点は、低温時の流動性を確保する観点から、−３５℃未満であることが好ましく、−３８℃以下であることがより好ましい。
【００４７】
本実施形態に係る冷却液組成物は、必要に応じて、上記成分以外に、本実施形態の効果を損なわない範囲で、その他の添加剤を含むことができる。
【００４８】
例えば、冷却液組成物は、エンジン冷却液経路等に使用される金属の腐食を効果的に抑制するため、少なくとも１種以上の防錆剤を含むことができる。防錆剤としては、例えば、リン酸及び／又はその塩、脂肪族カルボン酸及び／又はその塩、芳香族カルボン酸及び／又はその塩、トリアゾール類、チアゾール類、ケイ酸塩、硝酸塩、亜硝酸塩、ホウ酸塩、モリブテン酸塩、及びアミン塩等が挙げられる。防錆剤は、１種を単独で用いてもよく、又は２種以上を混合して用いてもよい。
【００４９】
例えば、冷却液組成物は、金属の腐食防止のため、少なくとも１種以上のｐＨ調整剤を含むことができる。ｐＨ調整剤としては、例えば、水酸化ナトリウム、水酸化カリウム、又は水酸化リチウム等が挙げられる。ｐＨ調整剤は、１種を単独で用いてもよく、又は２種以上を混合して用いてもよい。
【００５０】
冷却液組成物の２５℃におけるｐＨは、好ましくは６以上、より好ましくは７以上であり、そして、好ましくは１０以下、より好ましくは９以下である。
【００５１】
冷却液組成物は、例えば、着色剤、染料、分散剤又は苦味剤等を含むことができる。
【００５２】
上記その他の添加剤の合計配合量は、冷却液組成物１００質量部に対して、通常、１０質量部以下、好ましくは５質量部以下である。
【００５３】
冷却液組成物の製造方法は、特に制限されるものではなく、通常の冷却液組成物の製造方法を用いることができる。例えば、適当な温度で均一に撹拌することで製造できる。
【００５４】
本実施形態に係る冷却液組成物は、一般に冷却液として用いることができ、内燃機関の冷却液として用いることが好ましい。また、本実施形態に係る冷却液組成物は、電池スタック、燃料電池スタック等の冷却液にも用いることができる。
【実施例】
【００５５】
以下、本実施形態について実施例を用いてより詳細に説明するが、本実施形態は以下の実施例により限定されるものではない。
【００５６】
［実施例１〜５、比較例１〜２］
下記表１の組成にて界面活性剤、シクロペンタンの順に加え、１０分撹拌後、水、エチレングリコールの順に添加後、３０分撹拌し、冷却液組成物Ｅ１〜Ｅ５及びＣ１〜Ｃ２を得た。
【００５７】
［流動点の測定］
得られた冷却液組成物について下記方法により流動点を測定した。冷却液組成物２０ｇをガラス容器内に配置し、該ガラス容器をドライアイス及びアセトンで約−７０℃に保たれた冷媒浴中に配置した。そして、撹拌しながら熱電対で冷却液組成物の温度を測定し、流動点を決定した。ここで、流動点は、冷却液組成物が流動しなくなる温度を意味し、ガラス容器を傾けた時に、冷却液組成物の液面が動く場合を「流動性あり」と判断し、動かない場合を「流動性なし（凝固）」と判断した。
【００５８】
［熱伝達率の測定］
冷却液組成物の熱伝達率は、図１に示す構成を有する熱伝達率測定装置を用いて測定した。冷却液組成物２０ｇ及び撹袢子をステンレス容器内に入れ、該ステンレス容器を保温材の中に配置した。そして、撹拌状態にてステンレス容器の外側から電気ヒーターで冷却液組成物を加熱し、冷却液組成物の温度を上昇させ、ステンレス容器内壁における冷却液組成物の熱伝達係数を求めた。冷却液組成物に伝達される熱出力Ｑ［Ｗ］は、大気への放熱、ステンレス容器の顕熱、保温材の顕熱を差し引いて求めておいた。熱電対でステンレス容器外表面温度ＴＨと冷却液組成物の温度ＴＣを測定し、温度差ΔＴ［℃］、ステンレス容器が濡れている内面積Ａ［ｍ２］から、以下の式で熱伝達係数ｈ［Ｗ／ｍ２・℃］を算出した。撹拌子の回転数は、どの冷却液組成物の場合も６００ｒｐｍとした。
ΔＴ＝ＴＨ−ＴＣ
ｈ＝Ｑ／（ΔＴ・Ａ）
【００５９】
【表１】
2019156902.tif 000002
【００６０】
エチレングリコール：ナカライテスク試薬１級
シクロペンタン：ナカライテスク試薬特級
エマルゲン１０５：花王社製（ノニオン性界面活性剤、ポリオキシエチレンラウリルエーテル）
エマルゲン４０４：花王社製（ノニオン性界面活性剤、ポリオキシエチレンオレイルエーテル）
【００６１】
表１より、実施例１〜５の冷却液組成物は、流動点が低く、かつ熱伝達率が高いことがわかる。
【００６２】
また、図２に、シクロペンタンとエマルゲン４０４の比が３：１である所定量の混合液（０〜２０質量部）に、エチレングリコールの含有量が異なる基材（残部）を加えた冷却液組成物について流動点を測定した結果を示す。基剤としては、水：エチレングリコールの比が７０：３０である基剤（ＥＧ３０％）、水：エチレングリコールの比が６０：４０である基剤（ＥＧ４０％）、水：エチレングリコールの比が５０：５０である基剤（ＥＧ５０％）を用いた。図２に示されるように、シクロペンタンの添加により、流動点を低下させることができることがわかる。
【産業上の利用可能性】
【００６３】
本実施形態の冷却液組成物は、内燃機関、特には自動車用エンジン、インバータ及びバッテリー等の冷却に好適に使用される。
【図１】
2019156902.tif 000003
【図２】
2019156902.tif 000004